(57)【要約】【課題】振動、発生音の問題を克服しつつ、ピーク時の消費電力を小さくし、ミラー退避／復帰時間を短縮するとともに、ミラー退避時のスペース確保の問題を克服する。【解決手段】表面に複数の駆動電極を有する駆動電極部材（ガラス基板３１５）と、光反射膜とエレクトレット化された部位とを有し、駆動電極に印加される電圧による駆動力を受けて、駆動電極部材上を互いに逆方向に相対移動可能な一対の光反射部材（可動ミラー部材３１２Ａ，３１２Ｂ）とを具備する。【選択図】        図１４
2005107398.tif 000002
【特許請求の範囲】
【請求項１】
表面に複数の駆動電極を有する駆動電極部材と、
光反射膜とエレクトレット化された部位とを有し、上記駆動電極に印加される電圧による駆動力を受けて、上記駆動電極部材上を互いに逆方向に相対移動可能な一対の光反射部材と、
を具備することを特徴とするミラー装置。
【請求項２】
表面に複数の駆動電極を有する駆動電極部材と、
光反射膜とエレクトレット化された部位とを有し、上記駆動電極に印加される電圧による駆動力を受けて、上記駆動電極部材上を互いに逆方向に相対移動可能な一対の光反射部材と、
上記複数の駆動電極に上記電圧を与えて上記光反射部材の移動を制御する制御手段と、
を具備することを特徴とするミラー装置。
【請求項３】
上記駆動電極部材は光透過部材からなることを特徴とする請求項１または２記載のミラー装置。
【請求項４】
前記光反射部材を保護するための保護部材を有し、上記光反射部材は上記駆動電極部材と上記保護部材とで挟むように配置されていることを特徴とする請求項１〜３のいずれかに記載のミラー装置。
【請求項５】
上記一対の光反射部材の各々の移動領域の境界近傍には、当該一対の光反射部材の移動を停止するための係止部材が設けられていることを特徴とする請求項１〜４のいずれかに記載のミラー装置。
【請求項６】
上記一対の光反射部材の各々の移動領域の境界近傍には、当該一対の光反射部材のうちの一方の光反射部材の移動を停止するための係止部材が設けられており、前記一対の光反射部材のうちの他方の光反射部材は前記係止部材により係止された前記一方の光反射部材によりその移動が係止されることを特徴とする請求項１〜４のいずれかに記載のミラー装置。
【発明の詳細な説明】
【技術分野】
【０００１】
本発明は、ミラー装置に関するものである。
【背景技術】
【０００２】
カメラにおいては、観察時においてユーザが被写体を目視できるように撮影光学系からの光束をペンタプリズム側に導くことと、撮影時において前記光束を撮像素子方向に導くこととを切り替えるためにクイックリターンミラーが用いられている。
【０００３】
例えば、特開２０００−７５４０２号公報は、回転軸を介して上下方向へ回動変位可能なクリックリターンミラーを備えた１眼レフレックスカメラを開示している。また、特許第２５７８１８０号公報は、１眼レフレックスカメラにおいて、モータにより反射ミラーを駆動する構成を開示している。
【特許文献１】特開２０００−７５４０２号公報
【特許文献２】特許第２５７８１８０号公報
【発明の開示】
【発明が解決しようとする課題】
【０００４】
特開２０００−７５４０２号公報及び特許第２５７８１８０号公報を含む従来のミラー駆動方法では、１．動作音が大きい、２．ミラー移動時に振動によるブレが発生する、３．ミラー動作時のピーク消費電流が大きい、４．動作速度に限界があり高速連写に追従できない、５．機械的な摩耗による発塵のため、撮像素子にゴミが付着する可能性がある、６．ミラー退避／復帰時間が長くなったり、ミラー退避時のスペースを確保する必要がある、などの問題があった。
【０００５】
本発明は、このような課題に着目してなされたものであり、その目的とするところは、振動、発生音の問題を克服しつつ、ピーク時の消費電力を小さくでき、さらにはミラー退避／復帰時間を短縮するとともに、ミラー退避時のスペース確保の問題を克服できるミラー装置を提供することにある。
【課題を解決するための手段】
【０００６】
上記の目的を達成するために、第１の発明はミラー装置であって、表面に複数の駆動電極を有する駆動電極部材と、光反射膜とエレクトレット化された部位とを有し、上記駆動電極に印加される電圧による駆動力を受けて、上記駆動電極部材上を互いに逆方向に相対移動可能な一対の光反射部材と、を具備する。
【０００７】
また、第２の発明はミラー装置であって、表面に複数の駆動電極を有する駆動電極部材と、光反射膜とエレクトレット化された部位とを有し、上記駆動電極に印加される電圧による駆動力を受けて、上記駆動電極部材上を互いに逆方向に相対移動可能な一対の光反射部材と、上記複数の駆動電極に上記電圧を与えて上記光反射部材の移動を制御する制御手段と、を具備する。
【０００８】
また、第３の発明は第１または第２の発明に係るミラー装置において、上記駆動電極部材は光透過部材からなる。
【０００９】
また、第４の発明は第１〜３のいずれかに記載のミラー装置において、前記光反射部材を保護するための保護部材を有し、上記光反射部材は上記駆動電極部材と上記保護部材とで挟むように配置されている。
【００１０】
また、第５の発明は第１〜４のいずれかに記載のミラー装置において、上記一対の光反射部材の各々の移動領域の境界近傍には、当該一対の光反射部材の移動を停止するための係止部材が設けられている。
【００１１】
また、第６の発明は第１〜４のいずれかに記載のミラー装置において、上記一対の光反射部材の各々の移動領域の境界近傍には、当該一対の光反射部材のうちの一方の光反射部材の移動を停止するための係止部材が設けられており、前記一対の光反射部材のうちの他方の光反射部材は前記係止部材により係止された前記一方の光反射部材によりその移動が係止される。
【発明の効果】
【００１２】
本発明によれば、振動、発生音の問題を克服しつつ、ピーク時の消費電力を小さくでき、さらにはミラー退避／復帰時間を短縮するとともに、ミラー退避時のスペース確保の問題を克服できるミラー装置が提供される。
【発明を実施するための最良の形態】
【００１３】
図１は、本発明をデジタルカメラに適用した場合の実施の形態の概略的な構成を示す一部切り欠き斜視図である。本実施形態のカメラ１は、それぞれが別体に構成されるカメラ本体１１とレンズ鏡筒１２とからなり、このカメラ本体１１及びレンズ鏡筒１２の両者は、互いに着脱自在に構成されてなるものである。
【００１４】
そして、レンズ鏡筒１２は、複数のレンズやその駆動機構等からなる撮影光学系１２ａを内部に保持して構成されている。
【００１５】
この撮影光学系１２ａは、被写体からの光束を透過させることによって、当該光束により形成される被写体の像を所定の位置（後述する撮像素子の光電変換面上）に結像せしめるように、例えば、複数の光学レンズ等によって構成されるものである。
【００１６】
このレンズ鏡筒１２は、カメラ本体１１の前面に向けて突出するように配設されている。
【００１７】
また、カメラ本体１１は、内部に各種の構成部材等を備えて構成され、かつ撮影光学系１２ａを保持するレンズ鏡筒１２を着脱自在となるように配設するための連結部材である撮影光学系装着部１１ａをその前面に備えて構成されてなるいわゆる一眼レフレックス方式のカメラである。
【００１８】
つまり、カメラ本体１１の前面側の略中央部には、被写体光束を当該カメラ本体１１の内部へと導き得る所定の口径を有する露光用開口が形成されており、この露光用開口の周縁部に撮影光学系装着部１１ａが形成されている。
【００１９】
そして、このカメラ本体１１の外面側には、その前面に上述の撮影光学系装着部１１ａが配設されているほか、上面部や背面部等の所定の位置にカメラ本体１１を動作させるための各種の操作部材、例えば、撮影動作を開始せしめるための指示信号等を発生させるためのレリーズボタン１７等が配設されている。
【００２０】
このカメラ本体１１の内部には、各種の構成部材、例えば、いわゆる観察光学系を構成するファインダ装置１３と、撮像素子の光電変換面への被写体光束の照射時間等を制御するシャッタ機構等を備えたシャッタ部１４と、被写体像に対応した画像信号を得る不図示の撮像素子及びこの撮像素子の光電変換面の前面側の所定の位置に配設され、当該光電変換面への塵埃等の付着を予防する防塵部材である防塵フィルタ（防塵ガラスともいう）２１等を含む撮像ユニット１５と、電気回路を構成する各種の電気部材が実装される主回路基板１６を始めとした複数の回路基板（主回路基板１６のみを図示している）等が、それぞれ所定の位置に配置されている。
【００２１】
ファインダ装置１３は、撮影光学系１２ａを透過した被写体光束の光軸を折り曲げて観察光学系の側へと導き得るように構成される可動ミラー機構１３ｂと、この可動ミラー機構１３ｂから出射する光束を受けて正立正像を形成するペンタプリズム１３ａと、このペンタプリズム１３ａにより形成される像を拡大して観察するのに最適な形態の像を結像させる接眼レンズ１３ｃ等によって構成されている。
【００２２】
可動ミラー機構１３ｂは、撮影光学系１２ａの光軸上において当該光軸に対して所定の角度、例えば、角度４５度を有して配置されている反射鏡であるが、従来の一眼レフカメラに採用されていたクイックリターンミラーとは異なり、ガラス基板と保護ガラスで形成された空隙をエレクトレット化された銀またはアルミ蒸着を施したフィルムが移動する、いわゆるエレクトレットミラー構造になっている。
【００２３】
このエレクトレットミラーは、撮影光学系１２ａの光軸から退避する位置と当該光軸上の所定の位置との間で移動自在に構成されており、被写体像を観察する際には撮影光学系１２ａの光軸上にあって被写体光束をペンタプリズム側へ反射する。
【００２４】
一方、本カメラ１が撮影動作の実行中においては、撮影光学系１２ａの光軸から退避する所定の位置に移動するようになっており、その場合、被写体光束は保護ガラスとガラス基板を透過して撮像ユニット１５に導かれる。尚、このエレクトレットミラーの詳細については後述する。
【００２５】
シャッタ部１４は、例えば、フォーカルプレーン方式のシャッタ機構やその駆動回路等、従来のカメラ等において一般的に利用されているものと同様のものが適用される。
【００２６】
図２は、本発明に関わる第１の実施の形態のカメラのシステム構成を示すブロック図である。すなわち、この第１の実施の形態のカメラシステムは、カメラ本体１１と、交換レンズとしてのレンズ鏡筒１２とから主に構成されており、カメラ本体１１の前面に対して所望のレンズ鏡筒１２が着脱自在に設定されている。
【００２７】
レンズ鏡筒１２の制御は、レンズ制御用マイクロコンピュータ（以下、Ｌｕｃｏｍと称する）２０５が行う。カメラ本体１１の制御は、ボディ制御用マイクロコンピュータ（以下、Ｂｕｃｏｍと称する）１５０が行う。
【００２８】
なお、これらＬｕｃｏｍ２０５とＢｕｃｏｍ１５０とは、合体時において通信コネクタ２０６を介して通信可能に電気的接続がなされる。そして、この場合、カメラシステムとしてＬｕｃｏｍ２０５がＢｕｃｏｍ１５０に従属的に協働しながら稼動するようになっている。また、レンズ鏡筒１２内には、撮影光学系１２ａと、絞り２０３とが設けられており、絞り２０３は絞り駆動機構２０４内に在る図示しないステッピングモータによって駆動される。Ｌｕｃｏｍ２０５は、Ｂｕｃｏｍ１５０からの指令に従って、これらの各モータを制御する。
【００２９】
また、このカメラ本体１１内には、光学系としての一眼レフレックス方式の構成部材（ペンタプリズム１３ａ、可動ミラー機構１３ｂ、接眼レンズ１３ｃ）と、光軸上のフォーカルプレーン式のシャッタ１１５とが設けられている。
【００３０】
また、上記可動ミラー機構１３ｂを駆動制御するミラー駆動回路１１８と、上記シャッタ１１５の先幕と後幕を駆動するためのばね力をチャージするシャッタチャージ機構１１９と、それら先幕と後幕の動きを制御するシャッタ制御回路１２０と、上記ペンタプリズム１３ａからの光束に基づき測光処理する測光回路１２１とが設けられている。
【００３１】
光軸上には、上記光学系を通過した被写体像を光電変換するための撮像素子２７が光電変換素子として設けられている。
【００３２】
この場合、この撮像素子２７は、該撮像素子２７と撮影光学系１２ａとの間に配設された光学素子としての透明なガラス部材でなる防塵フィルタ２１によって保護されている。
【００３３】
そして、この防塵フィルタ２１を所定の周波数で振動させる加振手段の一部として、例えば、圧電素子２２がその防塵フィルタ２１の周縁部に取り付けられている。
【００３４】
また、圧電素子２２は２つの電極を有しており、この圧電素子２２が加振手段の一部としての防塵フィルタ駆動回路１４０によって防塵フィルタ２１を振動させ、そのガラス表面に付着していた塵を除去できるように構成されている。
【００３５】
なお、撮像素子２７の周辺の温度を測定するために、防塵フィルタ２１の近傍には、温度測定回路１３３が設けられている。
【００３６】
このカメラシステムには、また、撮像素子２７に接続されたインターフェイス回路１２３と、液晶モニタ１２４と、記憶領域として設けられたＳＤＲＡＭ１２５と、ＦｌａｓｈＲＯＭ１２６及び記録メディア１２７などを利用して画像処理する画像処理コントローラ１２８とが設けられ、電子撮像機能と共に電子記録表示機能を提供できるように構成されている。
【００３７】
その他の記憶領域としては、カメラ制御に必要な所定の制御パラメータを記憶する不揮発性記憶手段として、例えば、ＥＥＰＲＯＭからなる不揮発性メモリ１２９が、Ｂｕｃｏｍ１５０からアクセス可能に設けられている。
【００３８】
また、Ｂｕｃｏｍ１５０には、当該カメラの動作状態を表示出力によってユーザへ告知するための動作表示用ＬＣＤ１５１と、カメラ操作スイッチ（ＳＷ）１５２とが設けられている。
【００３９】
上記カメラ操作ＳＷ１５２は、例えば、レリーズＳＷ、モード変更ＳＷ及びパワーＳＷなどの、当該カメラを操作するために必要な操作釦を含むスイッチ群である。
【００４０】
さらに、電源としての電池１５４と、この電源の電圧を、当該カメラシステムを構成する各回路ユニットが必要とする電圧に変換して供給する電源回路１５３が設けられている。
【００４１】
次に、上述したように構成されるカメラシステムの動作について説明すると、このカメラシステム各部が次のように稼動する。
【００４２】
まず、画像処理コントローラ１２８は、Ｂｕｃｏｍ１５０の指令に従ってインターフェイス回路１２３を制御して撮像素子２７から画像データを取り込む。この画像データは、画像処理コントローラ１２８でビデオ信号に変換され、液晶モニタ１２４にて出力表示される。ユーザは、この液晶モニタ１２４の表示画像から、撮影した画像イメージを確認することができる。
【００４３】
ＳＤＲＡＭ１２５は、画像データの一時的保管用メモリであり、画像データが変換される際のワークエリアなどに使用される。また、この画像データはＪＰＥＧデータに変換された後には記録メディア１２７に保管されるように設定されている。
【００４４】
撮像素子２７は、前述したように透明なガラス部材でなる防塵フィルタ２１によって保護されている。この防塵フィルタ２１の周縁部にはそのガラス面を加振するための圧電素子２２が配置されており、この圧電素子２２は、防塵フィルタ駆動回路１４０によって駆動される。
【００４５】
撮像素子２７及び圧電素子２２は、防塵フィルタ２１を一面とし、かつ破線で示すような枠体によって囲まれたケース内に一体的に収納されることが、防塵のためにはより好ましい。
【００４６】
通常、温度はガラス製の物材の弾性係数に影響し、その固有振動数を変化させる要因の１つであるため、運用時にその温度を計測してその固有振動数の変化を考慮しなければならない。稼動中に温度上昇が激しい撮像素子２７の前面を保護するために設けられた防塵フィルタ２１の温度変化を測定して、そのときの固有振動数を予想するようにしたほうがよい。
【００４７】
したがって、この例の場合、上記温度測定回路１３３に接続されたセンサ（不図示）が、撮像素子２７の周辺温度を測定するため設けられている。
【００４８】
なお、そのセンサの温度測定ポイントは、防塵フィルタ２１の振動面の極近傍に設定されるのが好ましい。
【００４９】
ミラー駆動回路１１８は、可動ミラー機構１３ｂの上述のエレクトレットミラーを反射位置と透過位置に移動制御するための回路であり、この可動ミラー機構１３ｂが反射状態にあるとき、撮影光学系１２ａからの光束はペンタプリズム１３ａ側へと導かれる。
【００５０】
また、ペンタプリズム１３ａに隣接する接眼レンズ１３ｃからはユーザが被写体を目視できる一方、このペンタプリズム１３ａを通過した光束の一部は測光回路１２１内のホトセンサ（不図示）へ導かれ、ここで検知された光量に基づき周知の測光処理が行われる。
【００５１】
図３は、本実施形態に係る可動ミラー機構１３ｂの概略構成を示す図である。本実施形態の可動ミラー機構１３ｂでは、図３に示すように、表面に走査用電極３１０が所定間隔（例えば０．０５ｍｍ程度）で多数設けられた固定基板（固定子）としてのガラス基板（駆動電極部材）３１５の上に、スペーサ３１４−１，３１４−２を介して保護ガラス３１３が配置されている。保護ガラス３１３は少なくともその一部が透明なプレートとなっている。ガラス基板３１５の走査用電極３１０が設けられた領域の一部は透明もしくは開口しており光透過領域となっている。
【００５２】
スペーサ３１４−１，３１４−２により造られる間隙には可動ミラー部材（光反射部材）３１２が配置されている。可動ミラー部材３１２は、所定の間隙で帯状にエレクトレット化（ここではプラス（＋）とマイナス（−）に帯電させる）されており、これによる電荷と走査用電極３１０に印加された電圧によるクーロン力でガラス基板３１５に沿って並進駆動される。図に示す各部材の厚さは例えば、ガラス基板：０．３ｍｍ、可動ミラー：４０μｍ、スペーサ：５０μｍ、保護ガラス：０．１ｍｍ、となっている。
【００５３】
図４（Ａ），（Ｂ）は可動ミラー機構１３ｂの状態を示しており、図４（Ａ）は、撮影時における可動ミラー機構１３ｂの状態を示しており、図４（Ｂ）は、観察時における可動ミラー機構１３ｂの状態を示している。撮影時においては図４（Ａ）に示すように、可動ミラー部材３１２はガラス基板３１５の右半分の領域に移動し、光透過領域３１１の全体が現われる。この場合、可動ミラー機構１３ｂに到達した撮影光学系１２ａからの光束は、光透過領域３１１を通過して撮像素子２７へと導かれる。
【００５４】
一方、観察時においては図４（Ｂ）に示すように、可動ミラー部材３１２はガラス基板３０５の左半分の領域に移動し、光透過領域３１１の全体が可動ミラー部材３１２により覆われる。この場合、可動ミラー機構１３ｂに到達した撮影光学系１２ａからの光束は、可動ミラー部材３１２の反射面により上方へ反射されてペンタプリズム１３ａへと導かれる。
【００５５】
なお、ガラス基板３１５の裏面もしくは保護ガラス３１３に帯電防止コートを施しても良い。
【００５６】
図５（Ａ）は、可動ミラー部材３１２の構成を示す断面図であり、ガラスまたはポリイミド等からなる基材３１２−２と、反射面となる一面に必要に応じてコーティングされるアルミ蒸着膜３１２−１と、基材３１２−２の他面にフッ素樹脂等により形成されるエレクトレットフィルム３１２−３とから構成される。
【００５７】
エレクトレットフィルム３１２−３は、基材３１２−２に例えばスピンコーティングによりフッ素樹脂のフィルムを形成した後、エッチングにより一部を削除することにより図５（Ａ）に示すように所定の間隔ごとにフィルムが存在するようにする。この状態で高電界のコロナ放電処理を施すことでフィルム部分のみがエレクトレット化される。
【００５８】
図５（Ｂ）は、可動ミラー部材３１２の変形例を示す図であり、この例では、ポリイミドプレート等で構成されるプレート３１２−４に針状電極を近接させて高電圧を印加し、アース板として作用するアルミ蒸着膜３１２−１との間でアーク放電を起こさせることによりエレクトレット化された部分３１２−５が形成される。針状電極を走査させながら上記の処理を所定間隔ごとに行えばよい。
【００５９】
図６は、図２に示すミラー駆動回路１１８と可動ミラー機構１３ｂの構成を示す図である。ここでは図３で説明した走査用電極３１０は駆動電極４１０として、ガラス基板３１５は固定子４１５として実現される。また、可動ミラー部材３１２は、移動子４１２−２とエレクトレットフィルム４１２−３により実現される。
【００６０】
Ｂｕｃｏｍ１５０からの制御信号によりパルス発生回路１１８−１は例えば１ｋ〜数ｋＨｚのパルスを生成する。パルス発生回路１１８−１から出力されるパルス信号は昇圧回路１１８−４に供給されて約１００Ｖ程度にまで昇圧された後、駆動信号（駆動電圧）として駆動電極４１０のＡ及びＣに印加される。Ａ及びＣに印加される駆動信号は互いに９０度位相が異なっている。これと同時に、前記パルス信号は移相器１１８−３により位相が９０度シフトされた後、昇圧回路１１８−４に供給されて約１００Ｖ程度にまで昇圧された後、駆動信号として駆動電極４１０のＢ及びＤに印加される。Ｂ及びＤに印加される駆動信号は互いに９０度位相が異なっている。これによって、駆動電極Ａ，Ｂ，Ｃ，Ｄにはそれぞれ９０度ずつ位相が異なる駆動信号が印加される。
【００６１】
従来のアクチュエータでは駆動するのに約１０００Ｖ程度の電圧が必要だったが、本実施形態のようにエレクトレット化されたフィルムを採用することにより、１００Ｖ程度の低電圧によりアクチュエータを駆動することが出来る。
【００６２】
図７は、移動子４１２−２が各時刻（ｔ＝ｔ１、ｔ２、ｔ３）において固定子４１５上のどの位置に移動するかを示す図である。また、図８は、駆動電極Ａ，Ｂ，Ｃ，Ｄに印加される駆動信号が各時刻（ｔ＝ｔ１、ｔ２、ｔ３、…）においてどのように変化するかを示す図である。最初、移動子４１２−２が初期位置にあるときに電極Ａ、Ｂ、Ｃ、Ｄに１パルス分の駆動信号を印加すると移動子４１２−２はクーロン力により電極間のピッチである距離ｄだけ右方に移動する。時刻ｔ１において電極Ａ、Ｂ、Ｃ、Ｄにそれぞれ＋、−、−、＋の駆動信号を印加するとクーロン力により距離ｄだけさらに右方に移動する。次に、時刻ｔ２において、電極Ａ、Ｂ、Ｃ、Ｄにそれぞれ＋、＋、−、−の駆動信号を印加すると移動子４１２−２はクーロン力によりさらに距離ｄだけ右方に移動する。次に、時刻ｔ３において、電極Ａ、Ｂ、Ｃ、Ｄにそれぞれ−、＋、＋、−の駆動信号を印加するとクーロン力により移動子４１２−２はさらに距離ｄだけ右方に移動する。
【００６３】
なお、本実施形態では、隣り合う各移動子４１２−２の中心間の距離αは、電極間のピッチｄの２倍になるように構成されている。
【００６４】
このようにして移動子４１２−２を所定距離だけ移動させた後、切換信号によりスイッチ１１８−２（図６）を切り換えて駆動電極４１０に一定電圧を印加すれば、クーロン力により移動子４１２−２は所定の位置に留まる。
【００６５】
図９及び図１０は、移動子４１２−２の初期化方法を説明するための図である。ここで初期化とは、電源ＯＦＦのときに移動子４１２−２がどの位置に存在するかを確実に認識することはできないので、強制的に所定の位置に移動させて現在位置を確定することを言う。まず装置の電源をＯＮ（ステップＳ０）すると、初期化指令がＢｕｃｏｍ１５０からミラー駆動回路１１８に送られる（ステップＳ１）。ミラー駆動回路１１８はこれに応答して初期化パルスを可動ミラー機構１３ｂの駆動電極４１０に印加する（ステップＳ２）。このとき、印加電圧と移動子４１２−２の電荷により発生するクーロン力により移動子４１２−２は１ピッチ分の距離だけ並進駆動される。検出電極４０１により検出される電圧値に基づいて初期化プロセスが終了したか否かを判断し（ステップＳ３）、ＮＯの場合にはステップＳ２に戻って上記の処理を行い、ステップＳ３の判断がＹＥＳとなった場合には待機モードに移行して低電圧での駆動が行われる（ステップＳ４）。
【００６６】
検出電極４０１による検出は以下のようにして行われる。すなわち移動子４１２−２は、図８と同様の方法によって駆動電極４１０上を並進移動して最終的に検出電極４０１まで移動されるが、移動子４１２−２が図１０（ａ）に示される位置にあるときと、図１０（ｂ）に示される位置にある場合とでは検出電極４０１により検出される電圧値が異なる。これにより移動子４１２−２が初期化位置である図１０（ｂ）に示される位置まで移動したことを認識することができる。
【００６７】
図１１は初期化の他の方法を説明するための図である。ここでは、駆動電極４１０に所定数のパルスを印加することにより突き当て４００まで並進移動させてその位置を初期位置とする。
【００６８】
なお、図１０に示す方法と図１１に示す方法とを組み合わせて用いることも可能である。
【００６９】
図１２は、光透過領域３１１の一実施形態として、撮影用開口４０２を設けた例を示している。
【００７０】
以下に、本実施形態にかかる可動ミラー機構１３ｂの変形例について説明する。この変形例では、可動ミラー機構１３ｂを複数（ここでは２）に分割してミラー退避場所を分散させるとともに、ミラーの使用時には２枚のミラーが所定位置に存在するように以下のことを行う。
【００７１】
所定の電圧を印加することにより、２枚の可動ミラーをガラス基板に吸着させて光軸方向のズレ（段差）をなくす（２枚の可動ミラーの反射面を均一にする）。
【００７２】
また、２枚の可動ミラーの移動領域の境界近傍でかつ光路外の位置にストッパを設け、少なくとも一方の可動ミラーの一部がストッパに当接するように構成する。このとき、ストッパに当接しないほうの可動ミラーは、ストッパに当接している可動ミラーの一部に当接するように構成することにより、ストッパの位置精度に関係なく２枚の可動ミラーの境界に生じる微小な隙間を調整可能である。
【００７３】
以下に図１３（Ａ）〜（Ｄ）を参照して本変形例について具体的に説明する。この変形例では上記した可動ミラー部材３１２が２分割され、第１の可動ミラー部材３１２Ａと第２の可動ミラー部材３１２Ｂとから構成される。第１の可動ミラー部材３１２Ａ及び第２の可動ミラー部材３１２Ｂは、駆動電極が設けられたガラス基板上を互いに逆方向に相対移動可能となっている。
【００７４】
図１３（Ａ）、１３（Ｃ）はそれぞれ、このような可動ミラー部材３１２Ａ，３１２Ｂの正面図、断面図である。この状態では光透過領域３１１が可動ミラー部材３１２Ａ，３１２Ｂによって遮られておらずカメラが撮影時の状態にあることを示している。また、図１３（Ｂ），１３（Ｄ）はそれぞれ、各々の可動ミラー部材３１２Ａ、３１２Ｂが中央部に移動することにより光透過領域３１１を完全に遮る、観察の状態を示している。３１４−１は可動ミラー部材３１２Ａの左方向への移動を停止するための係止部材としてのストッパであり、３１４−２は可動ミラー部材３１２Ｂの右方向への移動を停止するための係止部材としてのストッパである。
【００７５】
図１４（Ａ）〜（Ｄ）は、図１３（Ａ）〜（Ｄ）に示す構成の変形例を示している。この変形例では、上記したストッパ３１４−１，３１４−２に加えて、可動ミラー部材３１２Ａ、３１２Ｂの移動を停止させるための係止部材としてのストッパ３１４−３，３１４−４を、可動ミラー部材３１２Ａの移動領域と可動ミラー部材３１２Ｂの移動領域の境界近傍に設けるとともに、各可動ミラー部材３１２Ａ、３１２Ｂの、ストッパ３１４−３，３１４−４と対峙する部分に切り欠き部４０３を設けたことを特徴とする。図１４（Ａ）、（Ｃ）は撮影時の状態を示しており、図１４（Ｂ）、（Ｄ）は観察時の状態を示している。
【００７６】
図１５（Ａ），（Ｂ）は、図１３（Ａ）〜（Ｄ）に示す構成のさらなる変形例を示している。図１５（Ａ）は撮影時の状態を示しており、図１５（Ｂ）は観察時の状態を示している。
【００７７】
本変形例においても図１４（Ａ）、（Ｂ）と同様に、可動ミラー部材３１２Ａの移動領域と可動ミラー３１２Ｂの移動領域の境界近傍に可動ミラー部材３１２Ａ、３１２Ｂの移動を停止させるための係止部材としてのストッパ３１４−３，３１４−４を設けるが、ここでは一方の可動ミラー部材３１２Ａのみに切り欠き部４０３を設けたことを特徴とする。また、本変形例における可動ミラー部材３１２Ａは、図１６に示すように、切り欠け部４０３に加えて突起部４０４を有している。この突起部４０４の高さは、ストッパ３１４−３，３１４−４の幅よりも大きくなっている。従って、観察時に可動ミラー部材３１２Ａが中央部に向けて右方に移動したときに、当該可動ミラー部材３１２Ａはストッパ３１４−３，３１４−４により係止されるが、可動ミラー部材３１２Ｂは中央部に向けて左方に移動したときにストッパ３１４−３，３１４−４に行き着く前に突起部４０４によって係止される。このような突起部４０４により、ストッパ３１４−３，３１４−４の位置精度に関係なく２枚の可動ミラー部材３１２Ａ，３１２Ｂの境界に生じる微小な隙間を調整することができる。
【００７８】
なお、上記した実施形態では、エレクトレット化により可動ミラーをプラス（＋）とマイナス（−）の電荷に帯電しているが、製造の容易さを考慮してプラス（＋）のみあるいはマイナス（−）のみの電荷に帯電させる構成としても良い。
【００７９】
上記した実施形態によれば、少なくとも光路の領域が透明もしくは開口し、走査電極を有する固定基板に沿って、少なくともその一部の領域にミラーとしての機能を有する移動子を並進駆動させることにより移動子が光路上にある状態と、当該光路から退避された状態とを切り替えるようにしたので、振動、発生音、ピーク時消費電力が小さい可動ミラーを構成できる。
【００８０】
また、移動子は少なくとも部分的にエレクトレット化され、当該エレクトレット化による電荷と前記走査電極に印加された電圧によるクーロン力で前記移動子を並進駆動するようにしたので、低電圧での高速駆動が実現できる。
【００８１】
また、移動子は、固定基板と保護プレートによって挟まれた構成となるので、発塵の問題が克服される。
【００８２】
また、固定基板の裏面もしくは保護プレートは帯電防止コートが施されているので、駆動のために比較的高い電圧を走査することによって周囲の塵を引き寄せてしまうという不具合を回避することができる。
【００８３】
加えて、ミラー退避／復帰時間を短縮するとともに、ミラー退避時のスペース確保の問題を克服できるミラー装置が提供される。
【図面の簡単な説明】
【００８４】
【図１】本発明をデジタルカメラに適用した場合の実施の形態の概略的な構成を示す一部切り欠き斜視図である。
【図２】本発明に関わる第１の実施の形態のカメラのシステム構成を示すブロック図である。
【図３】本実施形態に係る可動ミラーの概略構成を示す図である。
【図４】可動ミラーの状態を示す図である。
【図５】（Ａ）は可動ミラー部材の構成を示す断面図であり、（Ｂ）は可動ミラー部材の変形例を示す図である。
【図６】図１に示すミラー駆動回路１１８と可動ミラーの構成を示す図である。
【図７】移動子が各時刻（ｔ＝ｔ１、ｔ２、ｔ３）において固定子上のどの位置に移動するかを示す図である。
【図８】駆動電極Ａ，Ｂ，Ｃ，Ｄに印加される駆動信号が各時刻（ｔ＝ｔ１、ｔ２、ｔ３、…）においてどのように変化するかを示す図である。
【図９】移動子の初期化方法を説明するための図（その１）である。
【図１０】移動子の初期化方法を説明するための図（その２）である。
【図１１】初期化の他の方法を説明するための図である。
【図１２】光透過領域の一実施形態として撮影用開口を設けた例を示す図である。
【図１３】本実施形態に係る可動ミラーの変形例を示す図である。
【図１４】図１３（Ａ）〜（Ｄ）に示す構成の変形例を示す図である。
【図１５】図１３（Ａ）〜（Ｄ）に示す構成のさらなる変形例を示す図である。
【図１６】図１５の変形例における切り欠き部の一例を示す図である。
【符号の説明】
【００８５】
３１０…走査用電極、３１１…光透過領域、３１２…可動ミラー部材、３１３…保護ガラス、３１４−１，３１４−２…スペーサ、３１５…ガラス基板、４００…突き当て、４０１…検出電極、４１０…駆動電極、４１２−２…移動子（エレクトレットミラー）、４１２−３…エレクトレットフィルム、４１５…固定子（ガラス基板）。
【図１】
2005107398.tif 000003
【図２】
2005107398.tif 000004
【図３】
2005107398.tif 000005
【図４】
2005107398.tif 000006
【図５】
2005107398.tif 000007
【図６】
2005107398.tif 000008
【図７】
2005107398.tif 000009
【図８】
2005107398.tif 000010
【図９】
2005107398.tif 000011
【図１０】
2005107398.tif 000012
【図１１】
2005107398.tif 000013
【図１２】
2005107398.tif 000014
【図１３】
2005107398.tif 000015
【図１４】
2005107398.tif 000016
【図１５】
2005107398.tif 000017
【図１６】
2005107398.tif 000018